(57)【要約】【課題】  略密閉状態にある沈胴式撮影レンズユニットを備えた撮影装置において、レンズ繰出し時に撮影レンズユニット内に生じる負圧を低減し、塵や埃などの異物の吸い込みと、繰り出し時の負荷の軽減を実現する。【解決手段】  回転板１１は、退避ユニット２が回転移動する際に、弾性膜１０によって撮影レンズユニット１との気密性を保ちながら退避ユニット２の外周部に当接し且つ摺動しつつ回転する。これによって、撮影レンズユニット１の内部体積を変化させる。撮影に際しては、直進筒７が撮影レンズユニット１内から繰り出され、退避用スペース６に退避していた退避ユニット２が撮影レンズ光学系の光軸上に移動し、位置決めされて撮影レンズ光学系を構成する。この直進筒７の繰り出しによって撮影レンズユニット１内に生じる負圧は、回転板１１と弾性膜１０の動きで緩和される。【選択図】図２
2009217080.tif 000002
【特許請求の範囲】
【請求項１】
撮影レンズ光学系の光軸上から退避可能に構成されたレンズ群またはレンズ要素を有すると共に密閉または略密閉された撮影レンズユニットを備えた撮影装置において、
前記撮影レンズユニット内の、前記退避可能なレンズ群または前記レンズ要素を退避させるための退避用スペースの少なくとも一部が、前記密閉または前記略密閉された前記撮影レンズユニット内の体積を可変とする機構として構成されていることを特徴とする撮影装置。
【請求項２】
前記撮影レンズユニット内の体積を可変とする前記機構は、常時、前記撮影レンズユニット内の体積を減少させる方向の付勢力が付与されていることを特徴とする請求項１に記載の撮影装置。
【請求項３】
前記撮影レンズユニット内の体積を可変とする前記機構は、駆動部に連結された可動部を有することを特徴とする請求項１に記載の撮影装置。
【請求項４】
前記撮影レンズユニット内と外部との間に、当該撮影レンズユニット内の圧力が外気より高くなったとき開放する一方向通気弁を備えたことを特徴とする請求項１乃至３のいずれか１項に記載の撮影装置。
【請求項５】
前記撮影レンズユニット内の体積を可変とする前記機構は、前記退避可能なレンズ群または前記レンズ要素の前記退避用スペースの一面を形成する回転板と、前記撮影レンズユニットと前記回転板との空隙を封止する伸縮性、気密性および水密性を有する弾性膜とからなり、
前記撮影レンズ光学系が収納状態から撮影状態へ繰り出される動作に伴って、前記回転板および前記弾性膜を変位させ、前記退避用スペースの体積を減少させるように構成したことを特徴とする請求項１〜４のいずれか１項に記載の撮影装置。
【請求項６】
撮影用光学系として請求項１〜５のいずれか１項の撮影装置を用いたことを特徴とするカメラ。
【請求項７】
カメラ機能部を有し、且つ前記カメラ機能部の撮影光学系として、請求項１〜５のいずれか１項の撮影装置を用いたことを特徴とする携帯情報端末装置。
【発明の詳細な説明】
【技術分野】
【０００１】
本発明は、撮影レンズ光学系の光軸から退避可能に構成されたレンズ群またはレンズ要素を有すると共に密閉または略密閉された撮影レンズユニットを備えた撮影装置、カメラおよび携帯情報端末装置に関するものである。
【背景技術】
【０００２】
近年、撮影装置（例えば、デジタルスチルカメラ、デジタルビデオカメラ等）の小型化が急速に進んでいる。小型軽量の撮影装置は、携帯するのに大きな負担にならず、日常的に持ち運んで気軽に撮影を行うことができるという利点がある。また近年は、例えばＣＣＤ等の高密度画素の小型撮像素子と、前記小型撮像素子に対応した撮影レンズが開発され、小型の撮影装置でも、充分高画質な撮影画像を得ることができるようになってきている。
しかしながら、前述のとおり、日常的に気軽に撮影装置を持ち運べるようになったことで、撮影装置が汚れる機会が増え、特に、レンズをカメラ本体に沈胴して収納するタイプの撮影装置は、非撮影時のコンパクトさが携帯には便利ではあるが、レンズ繰り出し、収納用の可動部品同士が空隙を有しているので、空気が流入することによって塵や埃などの異物が撮影レンズ光学系系内に混入することが多くなっている。
【０００３】
この混入した異物が、撮像素子やレンズの表面に付着することで、撮影画像に大きな悪影響を与えることがしばしば発生している。また、ＣＣＤなどの撮像素子を用いたデジタルスチルカメラ等にあっては、銀塩フィルムを用いる銀塩カメラのように、撮影する度毎に撮像面が新しいものと入れ替えられることがなく、常時据え置きであるため、撮像素子面に付着した異物が存在し続けることが多く、複数の撮影枚数に渡って撮影画質に悪影響を及ぼし続ける恐れがある。
また、雨天時での使用や、水場近くでの使用の際にも、水気がカメラ内に侵入し、電気回路や金属部品に悪影響を及ぼす。このような理由から、日常的な防水機能および防塵機能を備えた撮影装置が要求され、開発されている。
しかしながら、レンズ収納時とレンズ繰出し時において、カメラ筐体内の体積が大きく変化する沈胴式レンズを用いたカメラを、防水、防塵のために密封すると、内部の体積が増加するレンズ繰り出し時にカメラ内部が負圧となることにより、ゴムパッキンなどの圧接嵌合部の隙間から外気が入り込む気流が発生して周囲の水や埃などの異物を内部に侵入（吸引）させたり、外部との気圧差がレンズ繰り出し駆動の負荷となってしまったりする問題点がある。
【０００４】
従来、単に、カメラ内部と外部との気圧差を緩和するための技術としては、以下に述べる特許文献１〜３が存在する。
即ち、特許文献１（特開２００２−２６８１２４号公報）においては、防水カメラ筐体の一部に、内部の水密性を保った状態の弾性カバー部を設け、筐体内外に圧力差が生じた時に、この弾性カバー部に設けられた薄肉部が局部的に弾性変形することによって、カメラ内部と外部の気圧差である内外圧力差を緩和する技術が提案されている。
また、特許文献２（特開２００５−４３６０８号公報）においては、防水カメラ筐体の一部にある、内部との水密性を保った状態の弾性グリップ部と内側筐体との間に空隙を設け、カメラ部品の発熱に起因して筐体の内外に圧力差が生じたり、防水カメラに外部からの衝撃が加えられた際に、弾性グリップの変形によって内外圧力差を緩和する技術が提案されている。
さらに、特許文献３（特開２００５−２５８２７６号公報）に示されたレンズ鏡筒においては、レンズ群の一部を繰り込む方向に移動させる際のレンズ鏡筒内の体積の減少、即ち圧縮により、外部と連通する水抜き孔を介して外方に向かう空気の流れを生じさせることで、レンズ鏡筒内に溜まった水を排出する技術が提案されている。
【０００５】
【特許文献１】「特開２００２−２６８１２４号公報」
【特許文献２】「特開２００５−４３６０８号公報」
【特許文献３】「特開２００５−２５８２７６号公報」
【発明の開示】
【発明が解決しようとする課題】
【０００６】
しかしながら、上記背景技術で述べた従来の撮影装置にあっては、例えば、前述の特許文献１、２に開示された技術の場合は、カメラ本体の筐体の一部に、弾性体が変形可能な空隙を設ける構成となっており、沈胴式レンズの体積変化を吸収する効果は得られない。また、沈胴式レンズの体積変化を吸収するためには、ある程度大きな空隙を設ける必要があり、体積変化を緩和するためのみに大きな体積を占有することは、現在のコンパクトデジタルスチルカメラ等における小型化のニーズと、カメラ内部の高密度化の要求に応える上で大きな障害となるという問題点がある。
また、前述の特許文献３に開示された技術の場合は、鏡筒内の体積変化を利用したものではあるが、内部に溜まった水を排出することを目的としており、特に、沈胴式レンズの繰出し時に、筐体の内部の負圧に伴う外部の水分や埃を吸い込んでしまう、という問題を解決し得るものではない。
【０００７】
本発明は、上記事情に鑑みてなされたもので、その目的とするところは、撮影レンズ光学系の光軸上から退避可能に構成されたレンズ群またはレンズ要素を有すると共に密閉または略密閉された撮影レンズユニットを備えた撮影装置において、撮影レンズの繰り出しおよび繰り込みの際の撮影レンズユニット内と外部との気圧差を、撮影装置の大型化を来たすことなく、緩和することを可能とし、部材の嵌合部などからの塵や埃などの吸い込みを防止し、侵入した異物を排出し得る共に、撮影レンズの繰り出し、繰り込みの際の負荷を軽減し得る撮影装置、カメラおよび携帯情報端末装置を提供することにある。
【課題を解決するための手段】
【０００８】
請求項１に記載した本発明に係る撮影装置は、上述した目的を達成するために、撮影レンズ光学系の光軸上から退避可能に構成されたレンズ群またはレンズ要素を有すると共に密閉または略密閉された撮影レンズユニットを備えた撮影装置において、
前記撮影レンズユニット内の、前記退避可能なレンズ群または前記レンズ要素を退避させるための退避用スペースの少なくとも一部が、前記密閉または前記略密閉された前記撮影レンズユニット内の体積を可変とする機構として構成されていることを特徴とする。
また、請求項２に記載した発明に係る撮影装置は、請求項１の撮影装置であって、前記撮影レンズユニット内の体積を可変とする前記機構に、常時、前記撮影レンズユニット内の体積を減少させる方向の付勢力が付与されていることを特徴としている。
また、請求項３に記載した本発明に係る撮影装置は、請求項１の撮影装置であって、前記撮影レンズユニット内の体積を可変とする前記機構は、駆動部に連結された可動部を有することを特徴としている。
【０００９】
さらに、請求項４に記載した本発明に係る撮影装置は、請求項１〜３のいずれか１項の撮影装置であって、前記撮影レンズユニット内と外部との間に、当該撮影レンズユニット内の圧力が外気より高くなったとき開放する一方向通気弁を備えたことを特徴としている。
請求項５に記載した本発明に係る撮影装置は、請求項１〜４のいずれか１項の撮影装置であって、前記撮影レンズユニット内の体積を可変とする前記機構は、前記退避可能なレンズ群または前記レンズ要素の前記退避用スペースの一面を形成する回転板と、前記撮影レンズユニットと前記回転板との空隙を封止する伸縮性、気密性および水密性を有する弾性膜とからなり、
前記撮影レンズ光学系が収納状態から撮影状態へ繰り出される動作に伴って、前記回転板および前記弾性膜を変位させ、前記退避用スペースの体積を減少させるように構成したことを特徴としている。
また、請求項６に記載した本発明に係るカメラは、請求項１〜５のいずれか１項に記載の撮影装置を、撮影用光学系として備えたことを特徴としている。
また、請求項７に記載した本発明に係る携帯情報端末装置は、請求項１〜５のいずれか１項に記載の撮影装置を、カメラ機能部の撮影用光学系として備えたことを特徴としている。
【発明の効果】
【００１０】
請求項１に記載の発明によれば、撮影レンズ光学系の光軸上から退避可能に構成されたレンズ群またはレンズ要素を有すると共に密閉または略密閉された撮影レンズユニットを備えた撮影装置において、前記撮影レンズユニット内の、前記退避可能なレンズ群またはレンズ要素を退避させるための退避用スペースの少なくとも一部が、前記密閉または前記略密閉された撮影レンズユニット内の体積を可変とする機構として構成したので、撮影レンズ光学系の繰出し時にデッドスペースとなる退避レンズ群またはレンズ要素の収納のための収納スペースを、撮影レンズユニット内部と外部の気圧差を緩和するための体積調整機構と兼ねることが可能となり、内外圧力差を緩和するためだけのスペースが不要となり、自体のサイズの大型化を防ぐことが可能となると共に、沈胴状態の撮影レンズ光学系の繰り出し時の撮影レンズユニット内の圧力（負圧）の低下を抑制し、部品圧接嵌合部などからの塵や埃などを含んだ外気の吸い込みを防止し、併せて、外部との気圧差による撮影レンズ光学系の繰り出し駆動の負荷を低減し、加えて、鏡胴ユニット内を正圧にして、侵入した水や塵などの異物の排出も行い得る撮影装置を提供することができる。
【００１１】
請求項２に記載の発明によれば、前記撮影レンズユニット内の体積を可変とする前記機構は、常時、撮影レンズユニット内の体積を減少させる方向の付勢力が付与されているので、沈胴した状態の撮影レンズ光学系の繰り出し時などのような撮影レンズユニット内の体積変化時も前記撮影レンズユニット内の気圧を外気圧よりも常に高く保って、部品の圧接嵌合部などから前記撮影レンズユニット内への外気の吸い込みを抑制することが可能であり、また、前記撮影レンズユニット内の気圧を外部の気圧よりも高くすることで、部品の圧接嵌合部などから内部の空気を排出する気流を発生させて、前記撮影レンズユニット内の塵や埃などの異物を排出することが可能な撮影装置を提供することができる。
請求項３に記載の発明によれば、前記撮影レンズユニット内の体積を可変とする前記機構に、駆動部に連結された可動部を備えることで、前記体積を可変とする機構部を強制的に動作させて前記撮影レンズユニット内の気圧を外部の気圧よりも高くするようにして、部品の圧接嵌合部などから内部の空気を排出する気流を発生させて、前記撮影レンズユニット内の塵や埃などの異物を排出することを撮影装置の使用者が意図したときに動作させることが可能な撮影装置を提供することができる。
【００１２】
請求項４に記載の発明によれば、前記撮影レンズユニット内と外部との間に、当該撮影レンズユニット内を開放する一方向通気弁を備えることで、前記撮影レンズユニット内の圧力が外部の気圧よりも高くなった際、前記撮影レンズユニット内から外部方向のみに通気する一方向通気弁から、内部に侵入した水や異物を積極的に排出することが可能な撮影装置を提供することができる。
さらに、請求項５記載に記載の発明によれば、前記撮影レンズユニット内の体積を可変とする前記機構が、前記退避可能なレンズ群または前記レンズ要素の前記退避用スペースの一面を形成する回転板と、前記撮影レンズユニットと前記回転板との空隙を封止する伸縮性、気密性および水密性を有する弾性膜とからなり、
前記撮影レンズ光学系が収納状態から撮影状態へ繰り出される動作に伴って、前記回転部材および前記弾性膜を変位させ、前記退避用スペースの体積を減少させるように構成したことにより、撮影レンズ光学系の繰り出し時に、回転板と弾性膜が退避用スペースの範囲内で変倍し、内外圧力差を緩和させ、撮影レンズ光学系の繰り出し時の負荷を低減させ、併せて外部から塵や埃などの異物の吸い込みをなくし得る撮影装置を提供することができる。
【００１３】
また、請求項６に記載の発明によれば、撮影光学系として請求項１〜５のいずれか１項に記載の撮影装置を用いた構成とすることにより、上述した撮影装置の奏する効果を発揮し得るカメラを提供することができる。
また、請求項７に記載の発明によれば、撮影光学系として請求項１〜５のいずれか１項に記載の撮影装置を用いて構成することにより、上述した撮影装置が奏する効果を発揮し得る携帯情報端末装置を提供することができる。
【発明を実施するための最良の形態】
【００１４】
以下、本発明に係る撮影装置、カメラおよび携帯情報端末装置の実施の形態につき、図面を参照して詳細に説明する。
図１〜図９は、本発明の第１の実施の形態に係るもので、図１０、図１１は、本発明の第２の実施の形態に係るもので、図１２、図１３は、本発明の第３の実施の形態に係るものである。
これらの図面のうち、図１は、第１の実施の形態に係る撮影装置の要部の外観構成を実線で示し、内部構成の一部を破線で示す斜視図であり、図２は、図１のＡ−Ａ方向から見た断面構成を示す断面図であり、図３は、図１のＡ−Ａ面で破断して内部の断面構成を示す斜視図であり、図４は、図１のＡ−Ａ面で破断して内部の断面構成を示す断面図であり、図５は、図１のＡ−Ａ面で破断して内部の断面構成を示す斜視図であり、図６は、図１のＢ−Ｂ面で破断して内部の断面構成を示す断面図であり、図７は、図１のＢ−Ｂ面で破断して内部の断面構成を示す斜視図であり、図８は、図１のＢ−Ｂ面で破断して内部の断面構成を示す断面図であり、図９は、図１のＢ−Ｂ面で破断して内部構成を示す斜視図であり、図１０は、図１のＢ−Ｂ面で破断して内部構成を示す断面図であり、図１１は、図１０の一部を拡大して示す部分断面図である。
【００１５】
また、これら図面のうち、撮影レンズ光学系のすべてが光軸上に配設され、撮影可能な状態になっているものは、図１、図２、図３、図６、図７、図１０、図１１であり、撮影レンズ光学系が非撮影状態（収納状態）にあり、特に退避可能なレンズ群またはレンズ要素が退避用スペースに退避（収納）している状態になっているものは、図４、図５、図８、図９である。
先ず、図１は、本発明の第１の実施の形態に係る撮影装置の要部の外観構成を実線で、内部構成を破線でそれぞれ示す斜視図である。
同図において、第１の実施の形態の撮影装置は、撮影レンズユニット１と、退避用スペース６と、繰り出しレンズ部を成す直進筒７と、撮影レンズユニット１の空隙を封止するための弾性膜１０と、退避ユニットの外周部に当接する回転板１１と、トーションスプリング１２と、６枚のレンズ要素の１つであるレンズ要素Ｌ１と、を備える。図１において、符号Ｃは、繰り出しレンズ部、符号Ｄは、筐体部を、それぞれ示すものとする。
【００１６】
図１〜９に示すように、第１の実施の形態に係る撮影レンズユニット１の外形は、繰り出しレンズ部Ｃと筐体部Ｄから成り、繰り出しレンズ部Ｃと筐体部Ｄの嵌合部は、弾性体パッキン１３（図２、図３参照）により水密に封止された構造となっており、撮影レンズユニット１全体として水密に封止されている。撮影レンズ光学系は、複数のレンズ群からなる６枚のレンズ要素（Ｌ１〜Ｌ６）から成り、第１および第２レンズ要素Ｌ１およびＬ２は、繰り出しレンズ部Ｃを構成する直進筒７に保持され、第３レンズ要素Ｌ３（図２）は、自由直進筒８に保持され、第３レンズ要素Ｌ３と、第４および第５レンズ要素４および５からなる第４、５接合レンズ要素Ｌ４５との間には絞りＳ１（図２〜図５）が配置され、第４、５接合レンズ要素Ｌ４５と第６レンズ要素Ｌ６は、撮影レンズ収納時に収納スペース６に退避して残りの撮影レンズ光学系の光軸から離すための退避ユニット２に保持され、第６レンズ要素Ｌ６の後方には撮像素子５が配置される構成となっている。
【００１７】
第１レンズ要素Ｌ１は、物体側に凸形状を持つ負のパワーを持ったメニスカスレンズであり、第２レンズ要素Ｌ２は、物体側に凸形状を持ち像側の面が非球面形状である負のパワーを持ったメニスカスレンズである。また、第３レンズ要素Ｌ３は、両側凸形状の正のパワーを持つレンズであり、第４、５接合レンズ要素Ｌ４５は、両側凸形状の正のパワーを持つレンズである第４レンズ要素Ｌ４を物体側に、物体側に凹形状を持つ負のパワーを持つ第５レンズ要素Ｌ５を像側に配置して接合されたレンズである。さらに、第６レンズ要素Ｌ６は、両側凸形状を呈し、少なくとも１面が非球面形状である正のパワーを持つレンズ要素である。なお、退避ユニット２は、撮影レンズ収納時に退避して残りのズームレンズ系の光軸から離れるレンズ群であり、撮影レンズ収納時には、支点軸３と嵌合する退避ユニット２の回転中心部２ａ（図６、図８、図１０、図１１）を中心に回転して退避用スペース６内に移動（変位）し、撮影レンズユニット１内に後退してくる直進筒７と干渉しない位置まで退避する。
【００１８】
退避ユニット２は、トーションスプリング１２（図３、図６、図７、図９）の作用によって、図１、図３、図６等では時計回り方向に常に付勢力が付与されており、撮影レンズ光学系を繰り出した撮影状態時には、退避ユニット２の位置決め部２ｂが位置決め軸４に弾力を付与して係合または嵌合することで、退避ユニット２の主基準となる構成となっている。退避用スペース６の内壁面の一部、即ち、１面は、トーションスプリング１２の作用によって、図１、図３、図５、図６等では、時計回り方向に常に付勢力を受けながら退避ユニット２の外周部に当接する回転板１１と、回転板１１と撮影レンズユニット１との間の空隙を封止する伸縮性と気密性および水密性を有する弾性膜１０と、から構成されている。
回転板１１は、退避ユニット２が回転移動する際に、弾性膜１０によって撮影レンズユニット１との気密性を保ちながら退避ユニット２の外周部に当接摺動しながら回転することで、撮影レンズユニット１の内部体積を変化させる構成となっている。
【００１９】
撮影時には、直進筒７が撮影レンズユニット１内から繰り出され、退避用スペース６に退避していた退避ユニット２が撮影レンズ光学系の光軸上に移動して位置決めされることで撮影レンズ光学系を構成し、この直進筒７の繰り出しによって撮影レンズユニット１内に生じる負圧を、退避用スペース６の一面からなる体積を可変とする機構としての回転板１１と弾性膜１０の動き（変位）で緩和する構成となっている。
図１０は、図１に示す撮影装置のＢ−Ｂ方向から見た第２の実施の形態の撮影装置に係る断面構成を示す断面図である。また、図１１は、図１０中の一方向通気弁９付近を拡大して示す部分断面図である。
図１０、１１に示す断面構成では、第１の実施の形態におけるトーションスプリング１２（図６参照）に代えて、回転板１１に接続された図示しない駆動源と、一方向通気弁９とを配設した構成としている。例えば、図示は省略したが、退避ユニット２と回転板１１との間を、リンク機構で連結したり、カム伝達手段を介して連繋し、退避ユニット２に与えられる駆動力を利用して回転板１１を駆動するようにすればよい。一方向通気弁９は、図１１に示すように、撮影レンズユニット筐体９ａの一部に穿設した孔９ｄに、締結部９ｃによって基端部を撮影レンズユニット筐体９ａに固定された弾性弁９ｂの半球形状部が圧接され、水密に封止された構成となっている。
【００２０】
この構成によれば、撮影レンズユニット１内部が外気よりも負圧、若しくはほぼ等圧の時には水密な封止状態を保ち、撮影レンズユニット１の内部が外気よりも高い気圧となった時には、弾性弁９ｂが撮影レンズユニット筐体９ａに穿設された孔９ｄから離れて空隙が生じ開放されることとなる。また、撮影レンズ繰り出し状態時に、回転板１１に接続された図示しない駆動源が駆動することで回転板１１が退避ユニット２の外周部に追従するように回動し、撮影レンズユニット１内の体積を減少させ、撮影レンズユニット１内の気圧を強制的に変動させて、一方向通気弁９に撮影レンズユニット１内から外部への空気の流れを生じさせ、撮影レンズユニット１内の異物や水気を排出する機能を果たすべく構成されている。
図１２は、上述した本発明の第１または第２の実施の形態に係る撮影装置の撮影光学系を採用して構成したカメラの外観構成を示す斜視図であり、このうち、図１２（ａ）は、物体、すなわち被写体側である前面側から見たカメラの沈胴状態（即ち、撮影レンズユニットを収納した状態）の外観を模式的に示す斜視図、図１２（ｂ）は、前面側から見たカメラの使用状態（即ち、撮影レンズユニットを引き出した状態）の外観構成を部分的に示す斜視図、図１２（ｃ）は、撮影者側である背面側から見たカメラの外観を模式的に示す斜視図である。また、図１３は、図１２に示すカメラの機能構成を示すブロック図である。
【００２１】
図１２（ａ）、（ｂ）、（ｃ）に示すカメラ１２０は、撮影レンズ１２１、ファインダ１２２、ストロボ１２３、シャッタボタン１２４、ズームレバー１２５、液晶モニタ画面１２６、操作ボタン１２７、電源スイッチ１３０、メモリスロット１２９、通信カードスロット１２８等を備えている。
さらに、図１３に示すように、本カメラは、機能ブロックとして、中央演算装置（ＣＰＵ）１３１、画像処理装置１３２、信号処理装置１３３、半導体メモリ１３４、液晶モニタ１２６、通信カード等１３５および受光素子１３６、を備えている。
図１２，１３に示すカメラについて、まず、その概要構成を説明すると共に、図１〜１１に示す本発明の撮影装置との繋がりを説明する。
【００２２】
図１２に示すカメラは、撮像レンズ１２１と図示しない受光素子（エリアセンサ、後述する受光素子１３６）を備え、撮影レンズ１２１によって形成される撮影対象物の像を受光素子１３６によって読み取るように構成されている。この撮影レンズ１２１には、請求項１〜請求項５に記載の撮影装置を用いるものとする。
図１３において、受光素子１３６（エリアセンサ）からの出力は、中央演算装置１３１の制御を受ける信号処理装置１３３によって処理され、デジタル情報に変換される。信号処理装置１３３によってデジタル化された画像情報は、中央演算装置１３１の制御を受ける画像処理装置１３２において所定の画像処理を受けた後、半導体メモリ１３４に記録される。液晶モニタ１２６には、撮影中の画像を表示することもできるし、半導体メモリ１３４に記録されている画像を表示することもできる。また、半導体メモリ１３４に記録した画像は、通信カード等１３５などを使用して外部へ送信することも可能である。
【００２３】
撮影レンズ１２１は、カメラの携帯時には、図１２（ａ）に示すように沈胴状態にあり、ユーザが電源スイッチを操作して電源を入れると、図１２（ｂ）に示すように鏡胴が繰り出される。この時、鏡胴の内部でズームレンズの各群は、例えば広角端の配置となっており、ズームレバー１２５を操作することで前記ズームレンズ各群の配置が変化し、望遠端への変倍を行うことができる。この時、ファインダ１２２も撮影レンズ１２１の画角の変化に連動して変倍する。
シャッタボタン１２４の半押しによりフォーカシングがなされる。フォーカシングは、第６レンズ要素Ｌ６（図２参照）の移動、若しくは撮影レンズ光学系に対する相対的な受光素子１３６の移動によって行うことができる。シャッタボタン１２４をさらに押し込むと撮影がなされ、その後は前述の処理がなされる。
半導体メモリ１３４に記録した画像を液晶モニタ画面１２６に表示したり、通信カード等１３５を使用して外部へ送信する際は、操作ボタン１２７を使用して操作するものとする。半導体メモリ１３４および通信カード等１３５は、それぞれ専用または汎用のスロット（ここでは、メモリーカードスロット１２９および通信カードスロット１２８）に挿入して使用される。
【００２４】
なお、前述のカメラには、図１〜１１に示す撮影装置を撮影レンズ光学系として使用することができる。よって、６００万〜１，５００万画素クラスの受光素子１３６を使用した高画質で小型のカメラを実現することができる。
次に、本発明の撮影装置を採用した図１２，１３に示すカメラの更に詳細な構成を説明する。但し、以下では、カメラについて説明しているが、いわゆるＰＤＡ(personal data assistant)や、携帯電話機等の携帯情報端末装置にカメラ機能を組み込んだものが近年登場している。このような携帯情報端末装置も、外観は若干異にするものの、図１２，１３に示すカメラと実質的に全く同様の機能・構成を含んでおり、このような携帯情報端末装置に本発明に係る撮影装置の撮影光学系を採用してもよい。
【００２５】
本カメラは、撮影レンズ光学系である撮影レンズ１２１と、ＣＣＤ（電荷結合素子）撮像素子等のエリアセンサとしての受光素子１３６（図１３）を備えており、撮影光学系である撮影レンズ１２１によって形成される被写体の像を受光素子１３６によって読み取るように構成されている。この撮影レンズ１２１としては、図１〜１１で説明したような本発明に係る撮影装置の撮影光学系を用いる。具体的には、前述のとおり、ズームレンズとしての撮影レンズ光学系を構成する光学要素であるレンズ等を用いてレンズユニットを構成する。このレンズユニットは、各レンズ等を、少なくともレンズ群毎に移動操作し得るように保持する機構を有する。本カメラに組み込まれる撮影レンズ１２１は、通常の場合、このレンズユニットの形で組み込まれる。
なお、本発明の実施の形態は、前述の構成に限るものではなく、撮影レンズが沈胴状態にある時は撮影レンズ光学系の各群は必ずしも光軸上に並んでいなくてもよい。例えば、接合レンズ要素Ｌ４５のレンズ群および／またはレンズ要素Ｌ６のレンズ群が光軸上から退避して、他のレンズ群と並列に収納されるような構成とすれば、図１２に示すカメラを一層薄型化することができる。
【産業上の利用可能性】
【００２６】
本発明に係る撮影装置は、デジタルカメラ、ビデオカメラ、さらには応用分野として銀塩カメラ用のレンズ装置および投影用レンズ等の光学系に好適に使用することができる。
【図面の簡単な説明】
【００２７】
【図１】本発明の第１の実施の形態に係る撮影装置の要部の外観構成を示す斜視図である。
【図２】図１に示す撮影装置のＡ−Ａ方向から見た断面構成を示す断面図である。
【図３】図１に示す撮影装置のＡ−Ａ方向から見た断面構成を示す斜視図である。
【図４】図１に示す撮影装置のＡ−Ａ方向から見た断面構成を示す断面図である。
【図５】図１に示す撮影装置のＡ−Ａ方向から見た断面構成を示す斜視図である。
【図６】図１に示す撮影装置のＢ−Ｂ方向から見た断面構成を示す断面図である。
【図７】図１に示す撮影装置のＢ−Ｂ方向から見た断面構成を示す斜視図である。
【図８】図１に示す撮影装置のＢ−Ｂ方向から見た断面構成を示す断面図である。
【図９】図１に示す撮影装置のＢ−Ｂ方向から見た断面構成を示す斜視図である。
【図１０】図１に示す撮影装置のＢ−Ｂ方向から見た本発明の第２の実施の形態の断面構成を示す断面図である。
【図１１】図１０中の一方向通気弁付近を拡大表示した部分断面図である。
【図１２】本発明に係る撮影装置の撮影光学系を採用して構成したカメラの外観構成を示すものであり、このうち、図１２（ａ）は、物体、すなわち被写体側である前面側から見たカメラの沈胴状態（即ち、撮影レンズユニットを収納した状態）の外観を模式的に示す斜視図、図１２（ｂ）は、前面側から見たカメラの使用状態（即ち、撮影レンズユニットを引き出した状態）の外観構成を部分的に示す斜視図、図１２（ｃ）は、撮影者側である背面側から見たカメラの外観を模式的に示す斜視図である。
【図１３】図１２に示すカメラの機能構成を示すブロック図である。
【符号の説明】
【００２８】
１  撮影レンズユニット
２  退避ユニット
３  支点軸
４  位置決め軸
５  撮像素子
６  退避用スペース
７  直進筒
８  自由直進筒
９  一方向通気弁
１０  弾性膜
１１  回転板
１２  トーションスプリング
Ｃ  繰り出しレンズ部
Ｄ  筐体部
Ｌ１〜Ｌ６  第１〜第６レンズ要素
Ｌ４５  第４、５接合レンズ要素
１２０  カメラ
１２１  撮影レンズ
１２２  ファインダ
１２３  ストロボ
１２４  シャッタボタン
１２５  ズームレバー
１２６  液晶モニタ画面
１２７  操作ボタン
１２８  通信カードスロット
１２９  メモリカードスロット
１３０  電源スイッチ
１３１  中央演算装置（ＣＰＵ）
１３２  画像処理装置
１３３  信号処理装置
１３４  半導体メモリ
１３５  通信カード
１３６  受光素子
【図１】
2009217080.tif 000003
【図２】
2009217080.tif 000004
【図３】
2009217080.tif 000005
【図４】
2009217080.tif 000006
【図５】
2009217080.tif 000007
【図６】
2009217080.tif 000008
【図７】
2009217080.tif 000009
【図８】
2009217080.tif 000010
【図９】
2009217080.tif 000011
【図１０】
2009217080.tif 000012
【図１１】
2009217080.tif 000013
【図１２】
2009217080.tif 000014
【図１３】
2009217080.tif 000015